(57)【要約】【課題】  強力なバックスピンを可能にするゴルフクラブを提供する。【解決手段】  フェース面１にスコアライン10を形成したヘッド２にシャフト４を接続する。ヘッド２のソール面６または該ソール面６と接する水平面６Ａから該ヘッド２の重心位置21までの高さ距離Ｄを、ボール22の半径Ｅより大きく形成する。ヘッド２の背面の上下部にそれぞれ後方へ向けて上部突設部18及び下部突設部15を間隔をおいて設ける。打球時において重心21をボール22の中心23より上方に配置することでギア効果によりバックスピンを加速することができる。ヘッド２の重心位置21までの高さ距離Ｄを自由に調節することができる。【選択図】図３
2006149478.tif 000002
【特許請求の範囲】
【請求項１】
下部に接地面となるソール面を設けると共に、正面に打球面となるフェース面をロフト角を有して設け、一側にシャフト接続部を設けたヘッドの前記フェース面にスコアラインを形成し、前記シャフト接続部にシャフトを接続したゴルフクラブにおいて、前記ヘッドの前記ソール面と接する水平面から該ヘッドの重心位置までの高さ距離を、ボールの半径より大きく形成することを特徴とするゴルフクラブ。
【請求項２】
前記ヘッドの背面の上下部にそれぞれ後方へ向けて上部突設部及び下部突設部を間隔をおいて設け、前記上部突設部の後端と前記フェース面との距離を、前記下部突設部の後端と前記フェース面との距離より大きく形成したことを特徴とする請求項１記載のゴルフクラブ。
【請求項３】
前記ヘッドの背面の上下部にそれぞれ後方へ向けて上部突設部及び下部突設部を間隔をおいて設け、前記下部突設部の上面に凹部を形成することを特徴とする請求項１記載のゴルフクラブ。
【請求項４】
前記下部突設部の上面に凹部を形成することを特徴とする請求項２記載のゴルフクラブ。
【請求項５】
前記ゴルフクラブがピッチング・ウェッジ、アプローチ・ウェッジ又はサンド・ウェッジ等のウェッジであることを特徴とする請求項１〜４のいずれか１項に記載のゴルフクラブ。
【請求項６】
前記高さ距離を２１．３３５ｍｍ以上に形成することを特徴とする請求項１〜５のいずれか１項に記載のゴルフクラブ。
【請求項７】
前記ヘッドの重心を前記フェース面の前方に設けることを特徴とする請求項１〜６のいずれか１項に記載のゴルフクラブ。
【発明の詳細な説明】
【技術分野】
【０００１】
本発明は、ゴルフクラブに関するものである。
【背景技術】
【０００２】
ゴルフクラブは低く打ち出して遠くに飛ばすことが目的のウッド型、高く打ち出してバック・スピン（逆回転）をかけ、狙ったポジションを上方からとらえるアイアン型及びグリーン上で使用するパターに大別される。
【０００３】
アイアン型ゴルフクラブのうち、飛距離の目安が概ね１１０ヤード（１０１ｍ）までのショットにはピッチング・ウェッジが使用され、概ね８０ヤード（７３ｍ）までのショットには主としてバンカーからのプレーに設計されたサンド・ウェッジ等が使用される。
【０００４】
これらウェッジは、フェース面（打球面）の傾斜角度、すなわちロフト角が概ね５２〜５６度で、シャフトの傾斜角度、すなわちライ角が概ね６４度に設定されている。
【０００５】
このようなアイアン型ゴルフクラブのヘッドは、下部に接地面となるソール面と、正面に打球面となるフェース面を設け、このフェース面にはスコアラインを形成し、さらにヘッドにはトウ、ヒールやシャフト取付のためのホーゼルなどを形成すると共に、背面に凹部を形成している（例えば特許文献１）。
【０００６】
ところで、ゴルフ用のボールをショットしてグリーンに載せる際のアプローチショットにおいては、ピッチ・エンド・ランやピッチ・ショットが用いられる。これらはボールによりバックスピン（逆回転）をかけ、比較的高く打ち出してグリーンに止める打球方法であり、特にピッチ・ショットにおいては逆回転を強力にかけて、グリーン上のカップ手前で落下させ、直ちに止める目的の打球方法である。
【０００７】
従来、打球時においてボールにバックスピンをかける手段として、フェース面にスコアラインと称せられる小溝が多段に形成されている。そして、バックスピンを強力にかけるスコアラインとして、プレス加工によりフェース面にスコアラインを設けた後、機械加工又はプレス加工により前記フェース面を平面とし、スコアラインのエッジ部の角度を鋭く形成して、ボールがこのエッジ部に引っ掛かりやすくなり、ボールに効果的にスピンをかけることのできるようにしたゴルフクラブヘッドを同一出願人は提案している（例えば特許文献２）。
【特許文献１】特開平７−２５５８７９号（図１、図７）
【特許文献２】特開２００３−１９９８５１公報
【発明の開示】
【発明が解決しようとする課題】
【０００８】
しかしながら、フェース面やスコアラインはスピン性能に与える影響が大きいため、特にゴルフルール上で規制を受けており、スコアラインのエッジ部についての改善工夫には限界があったばかりでなく、従来技術のような鋭いエッジ部によって打撃時にボールが切断されてしまうおそれもあった。
【０００９】
また、従来技術のようにスコアラインのエッジ部の角度を鋭く形成した場合、ボールがこのエッジ部に引っ掛かりやすくなりバックスピンをかけやすくなるが、ショットのたびにスコアラインはわずかではあるが鋭さが低下するばかりではなく、特にバンカーショットにおいてはスコアラインに砂が入り込むなどしてエッジ部を確保できなくなる等の問題がある。
【００１０】
解決しようとする問題点は、フェース面にスコアラインを形成したヘッドにシャフトを接続したゴルフクラブにおいて、スコアラインを有するフェース面側によらずに、強力なバックスピンを可能にする点である。
【課題を解決するための手段】
【００１１】
請求項１の発明は、下部に接地面となるソール面を設けると共に、正面に打球面となるフェース面をロフト角を有して設け、一側にシャフト接続部を設けたヘッドの前記フェース面にスコアラインを形成し、前記シャフト接続部にシャフトを接続したゴルフクラブにおいて、前記ヘッドの前記ソール面と接する水平面から該ヘッドの重心位置までの高さ距離を、ボールの半径より大きく形成することを特徴とするゴルフクラブである。
【００１２】
請求項２の発明は、前記ヘッドの背面の上下部にそれぞれ後方へ向けて上部突設部及び下部突設部を間隔をおいて設け、前記上部突設部の後端と前記フェース面との距離を、前記下部突設部の後端と前記フェース面との距離より大きく形成したことを特徴とする請求項１記載のゴルフクラブである。
【００１３】
請求項３の発明は、前記ヘッドの背面の上下部にそれぞれ後方へ向けて上部突設部及び下部突設部を間隔をおいて設け、前記下部突設部の上面に凹部を形成することを特徴とする請求項１記載のゴルフクラブである。
【００１４】
請求項４の発明は、前記下部突設部の上面に凹部を形成することを特徴とする請求項２記載のゴルフクラブである。
【００１５】
請求項５の発明は、前記ゴルフクラブがピッチング・ウェッジ、アプローチ・ウェッジ又はサンド・ウェッジ等のウェッジであることを特徴とする請求項１〜４のいずれか１項に記載のゴルフクラブである。
【００１６】
請求項６の発明は、前記高さ距離を２１．３３５ｍｍ以上に形成することを特徴とする請求項１〜５のいずれか１項に記載のゴルフクラブである。
【００１７】
請求項７の発明は、前記ヘッドの重心を前記フェース面の前方に設けることを特徴とする請求項１〜６のいずれか１項に記載のゴルフクラブである。
【発明の効果】
【００１８】
請求項１の発明によれば、ショット時においてヘッドの重心をボールの中心より上方に配置することで、ボールの打撃時にその衝撃によってフェース面が下向き方向に回動し、このフェース面の回動によりギア効果によってボールのバックスピンを加速させることができる。
【００１９】
請求項２の発明によれば、上部突設部及び下部突設部の重量配分によってヘッドのソール面と接する水平面から該ヘッドの重心位置までの高さ距離を自由に調節することができる。
【００２０】
請求項３及び４の発明によれば、凹部に相当する重量を下部突設部において軽減することができ、重心位置の位置調節をいっそう容易に行うことができる。
【００２１】
請求項５の発明によれば、ゴルフクラブをウェッジに利用することで、グリーン周りからのアプローチショット等を正確に行うことができる。
【００２２】
請求項６の発明によれば、現行ゴルフルールにおけるボールの半径以上の高さ距離を確保することができる。
【００２３】
請求項７の発明によれば、重心をフェース面より前方に配置することで、打球時におけるボールの打ち出し角度を小さくすることができる。
【発明を実施するための最良の形態】
【００２４】
本発明における好適な実施の形態について、添付図を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２５】
図１〜図６は実施例１を示しており、実施例はアイアン型ゴルフクラブのうち、ピッチング・ウェッジ、アプローチ・ウェッジ又はサンド・ウェッジ等ウェッジの場合を示しており、打球面となるフェース面１を正面に有するヘッド２の一側にホーゼル等と称するシャフト取付部３が設けられ、このシャフト取付部３にシャフト４の基端が接続されている。またシャフト４の先端にはグリップ５が設けられている。
【００２６】
前記ヘッド２は、鋼或いは鋼と他の材料との組合せ等により形成されるものであって、実施例では鋼により形成されている場合を示しており、該ヘッド２は下部に接地面となるソール面６、一側下部にヒール７、上部にはトップ８が形成されると共にトップ８の他側にトウ９が形成されている。そして、フェース面１にはスコアライン10が小溝状となって間隔をおいて多段に配置されている。尚、フェース面１はソール面６と接する水平面６Ａに対する垂線に対してロフト角δを有して傾斜している。
【００２７】
前記ヘッド２は重量的にはフェース面部材11と後側下部12と後側上部13とシャフト取付部３の４つの部分を一体に形成している。フェース面部材11は、フェース面１を中心としたほぼ板状であって、これには少なくともフェース面１、ソール面６の前部及びトップ８、トウ９、さらにはヒール７が含まれる。後側下部12にはソール面６の後部を含むようにフェース面部材11の後方へ下部突設部15が形成されており、この下部突設部15の上面16はソール面６又はソール面６と接する水平面６Ａを基準としてフェース面高さＡのほぼ１／２の位置より低い位置に配置されて該フェース面１の面方向と概ね直交するように配置されており、さらに上面16の内側には下方に向けて凹部17がアンダーカット状に形成されている。尚、ソール面６の前記水平面６Ａはゴルフクラブのアドレス時の接地面を基準としている。一方、後側上部13はトップ８、トウ９に連設してフェース面部材11の後方へ上部突設部18が形成されており、この上部突設部18は中実であってその下面19はフェース面高さＡのほぼ１／２の位置より高い位置に配置されて該フェース面１の面方向と概ね直交するように配置されている。したがって、前記フェース面部材11の後側中央、すなわちフェース面部材11におけるフェース面高さＡのほぼ１／２の箇所に、上面16及び下面19に挟まれるように凹部20が後方につながる空間となって形成されている。尚、これらフェース面部材11と後側下部12と後側上部13とシャフト取付部３は明確な境界を有して配置されるようなものではなく、連なるように配置されるものである。
【００２８】
そして、後側下部12における下部突設部15の後方への最大突出長さ、すなわち下部突設部15の後端15Ａと前記フェース面１との距離Ｂより、後側上部13における上部突設部18の後方への最大突出長さ、すなわち上部突設部18の後端18Ａと前記フェース面１との距離Ｃを大きくする（Ｂ＜Ｃ）などにより、後側下部12の容積、ひいては重量を後側上部13の容積、ひいては重量より大きくし、この結果ヘッド１の重心位置21とソール面６又はソール面６の前記水平面６Ａとの高さ距離Ｄを、フェース面１により打球すべきゴルフ用のボール22の中心23よりも高く形成する。すなわち、ヘッド２の重心位置21とソール面６又はソール面６の前記水平面６Ａとの最短長さを、ボール22の半径Ｅよりも大きく形成するものである。ボール22の直径は現在のルールでは４２．６７ｍｍであるので、その半径Ｅ２１．３３５ｍｍよりも、前記高さ距離Ｄを大きくなるように設定する。尚、高さ距離Ｄの上限はフェース面高さＡとなる。
【００２９】
前記高さ距離Ｄは具体的には例えば２３ｍｍにするものである。これは従来のものは例えば１９．８ｍｍや２０．４ｍｍ程度であったので、１６〜１３％程度重心21の位置を上昇させたこととなる。
【００３０】
さらに、フェース面１の幅方向のほぼ中央側に配置される前記重心位置21はフェース面１より前方に配置されている。尚、重心位置21はフェース面１より前方であってもソール面６の先端（フェース面１の下端）より後方に位置する。
【００３１】
次に前記構成についてその作用を説明する。例えば上述のようにアイアン型ゴルフクラブのうちウェッジを使用してピッチショットを行うような場合、ボール22に対してヘッド２は下方へ入り込むように円弧を描いてダウンスイングする。この際、フェース面１はボール22に対して下方へ入り込むように接して打球する。この結果、図２や図３の図示においてボール22がスコアライン10のエッジ部10Ａに引っ掛かりボール22は反時計方向回りに回転し、この結果ボール22にはバックスピンがかかる。さらに打球時において、ボール22はヘッド２と衝突した際に、重心21がボール22の中心23より上方にあるので瞬間的にフェース面１は図２、図３のようにソール面６側が引き下がりフェース面１が起き上がるように時計方向回り方向Ｒに回動する。すなわち、瞬間的にロフト角δが小さくなり、この結果このフェース面１の回動作用によって、該フェース面１に擦り付けられたボールは、フェース面１の回動と逆方向の回動が付与され、いわゆるギア効果が発生し、前記バックスピンは加速されるようになる。
【００３２】
さらに、打球時において前記重心21の高さ距離Ｄがボール22の半径Ｅよりも大きく、前記ヘッド２の重心21を前記フェース面１の前方に設けることでショット時において重心21がボール22の中心23より上方にあるので打球したボール22は比較的低く飛び出す。すなわち、ボールの飛び出し角度θは小さくなる。この結果ボール22がスコアライン10のエッジ部10Ａに引っ掛かりやすくなり、ボール22に効果的にバックスピンをかけることができるようになる。一方、前記高さ距離Ｄがボール22の半径Ｅよりも小さいと重心21がボール22の中心23より下方にあるので、飛び出し角度θが大きくなり、ボール22がスコアライン10のエッジ部10Ａに引っ掛かりにくくなり、ボール22にスピンをかけにくくなる。
【００３３】
このように、ピッチショット時において、ボール22は低く飛んでグリーン上に落下し、落下したボール22には強力なバックスピンがかかっているので、希望箇所となる落下地点或いはその近傍にて停止する。
【００３４】
以上のように、前記実施例ではフェース面１にスコアライン10を形成したヘッド２にシャフト４を接続したゴルフクラブにおいて、前記ヘッド２のソール面６または該ソール面６の前記水平面６Ａから該ヘッド２の重心位置21までの高さ距離Ｄを、ボール22の半径Ｅより大きく形成することにより、ショット時において、ボール22はヘッド２と衝突した際に、瞬間的にフェース面１はソール面６側が引き下がりフェース面１が起き上がるように回動することで、フェース面１に擦り付けられたボールは、フェース面１の回動と逆方向の回動が付与され、いわゆるギア効果によりバックスピンを加速することができるようになる。
【００３５】
また、前記ヘッド２の背面の上下部にそれぞれ後方へ向けて上部突設部18及び下部突設部15を間隔をおいて設け、前記上部突設部18の後端18Ａと前記フェース面１との距離Ｃを、前記下部突設部15の後端15Ａと前記フェース面１との距離Ｂより大きく形成したことで、ヘッド１の重心21を上方に配置するようにしたので、上部突設部18及び下部突設部15の重量配分によってヘッド２のソール面６または該ソール面６の前記水平面６Ａから該ヘッド２の重心位置21までの高さ距離Ｄを自由に調節することができ、しかも、このようにすることで上下方向の慣性モーメントを大きくできので、ショット時の上下方向のぶれも少なくなり、飛ぶ方向性を向上することができる。
【００３６】
さらに、前記下部突設部15の上面16に凹部17を形成することで、該凹部17に相当する重量を下部突設部15において軽減することができ、重心位置21の位置調節をいっそう容易に行うことができる。
【００３７】
また、このような重心配置したゴルフクラブをウェッジに利用することで、グリーン周りからのアプローチショットを正確に行うことができる。
【００３８】
しかも、前記高さ距離Ｄを２１．３３５ｍｍ以上に形成することで、現行ゴルフルールにおけるボール22の半径以上の高さ距離を確保できる。
【００３９】
しかも、前記ヘッド２の重心21を前記フェース面１の前方に設けることで、飛び出し角度θを小さくし、この結果ボール22がスコアライン10のエッジ部10Ａに引っ掛かりやすくなり、バンカーなどスコアライン10に砂が詰まりやすいショットなどであってもボール22にバックスピンを効果的にかけることができる。
【実施例２】
【００４０】
図７は実施例２を示しており、前記実施例１と同一部分には同一符号を付し、その詳細な説明を省略する。実施例２ではヘッド２のトップ８側の上部２Ａの材質の比重を、それ以外の下部２Ｂの材質、すなわちソール面６などを形成する材質の比重より大きいものとして、ヘッド２の重心21位置までの高さ距離Ｄを、ボール22の半径Ｅより大きく形成したものである。このように形状ではなく異なる比重の材質を組合せてヘッド２を形成するようにしてもよい。
【産業上の利用可能性】
【００４１】
以上のように本発明にかかるゴルフクラブは、他のアイアン型のものやウッド型のものなど種々の用途にも適用できる。
【図面の簡単な説明】
【００４２】
【図１】本発明の実施例１を示す正面側斜視図である。
【図２】本発明の実施例１を示す側面図である。
【図３】本発明の実施例１を示す断面図である。
【図４】本発明の実施例１を示す背面側斜視図である。
【図５】本発明の実施例１を示す分解斜視図である。
【図６】本発明の実施例２を示す断面図である。
【符号の説明】
【００４３】
１  フェース面
２  ヘッド
３  シャフト取付部
４  シャフト
６  ソール面
６Ａ  延長線
10  スコアライン
15  下部突設部
15Ａ  後端
16  上面
17  凹部
18  上部突設部
18Ａ  後端
21  重心位置
22  ボール
Ｂ  距離
Ｃ  距離
Ｄ  高さ距離
Ｅ  半径
δ  ロフト角
【図１】
2006149478.tif 000003
【図２】
2006149478.tif 000004
【図３】
2006149478.tif 000005
【図４】
2006149478.tif 000006
【図５】
2006149478.tif 000007
【図６】
2006149478.tif 000008